(57)【要約】【課題】蓄熱し熱量をある期間に亘って徐々に利用する。【解決手段】熱を蓄える複数の蓄熱ブロックＡ１〜Ａｎと、該蓄熱ブロックＡ１〜Ａｎが浸漬される流動形熱媒を貯留する流動槽１と、熱需要部Ｘとの間で流動形熱媒を循環させる放熱用循環手段２と、熱需要部Ｘの熱需要量に応じて蓄熱ブロックＡ１〜Ａｎから蓄熱を個別に取り出す放熱制御手段３とを具備する。【選択図】　　　図１
2004012093.tif 000002
【特許請求の範囲】
【請求項１】
熱を蓄える複数の蓄熱ブロック（Ａ１〜Ａｎ）と、
該蓄熱ブロック（Ａ１〜Ａｎ）が浸漬される流動形熱媒（ＬＨ）を貯留する流動槽（１）と、
熱需要部（Ｘ）との間で流動形熱媒（ＬＨ）を循環させる放熱用循環手段（２）と、
前記熱需要部（Ｘ）の熱需要量に応じて蓄熱ブロック（Ａ１〜Ａｎ）から蓄熱を個別に取り出す放熱制御手段（３）と
を具備することを特徴とする蓄熱装置。
【請求項２】
流動形熱媒（ＬＨ）を熱供給源（Ｙ）との間で循環させる吸熱用循環手段（４）をさらに備えることを特徴とする請求項１記載の蓄熱装置。
【請求項３】
放熱制御手段（３）は、蓄熱ブロック（Ａ１〜Ａｎ）に機械的あるいは電気的な刺激を加えることにより流動形熱媒（ＬＨ）への供給熱量を制御することを特徴とする請求項１または２記載の蓄熱装置。
【請求項４】
蓄熱ブロック（Ａ１〜Ａｎ）は、蓄熱材として潜熱型蓄熱材を用いることを特徴とする請求項１〜３いずれかに記載の蓄熱装置。
【請求項５】
流動形熱媒（ＬＨ）は流動型蓄熱材であることを特徴とする請求項１〜４いずれかに記載の蓄熱装置。
【請求項６】
蓄熱材（Ｈ）を複数の蓄熱ブロック（Ａ１〜Ａｎ）として流動形熱媒（ＬＨ）中に配置し、各蓄熱ブロック（Ａ１〜Ａｎ）に個別に刺激を与えることにより蓄熱材（Ｈ）の熱を小出しに回収することを特徴とする蓄熱方法。
【請求項７】
流動形熱媒（ＬＨ）を介して各蓄熱ブロック（Ａ１〜Ａｎ）の蓄熱材（Ｈ）に熱を蓄積させることを特徴とする請求項６記載の蓄熱方法。
【請求項８】
蓄熱ブロック（Ａ１〜Ａｎ）の蓄熱材（Ｈ）に機械的あるいは電気的な刺激を加えることにより熱を回収することを特徴とする請求項６または７記載の蓄熱方法。
【請求項９】
蓄熱材（Ｈ）として潜熱型蓄熱材を用いることを特徴とする請求項６〜８いずれかに記載の蓄熱方法。
【請求項１０】
流動形熱媒（ＬＨ）は流動型蓄熱材であることを特徴とする請求項６〜９いずれかに記載の蓄熱方法。
【発明の詳細な説明】
【０００１】
【発明の属する技術分野】
本発明は、蓄熱材に熱エネルギーを蓄える蓄熱装置及び方法に関する。
【０００２】
【従来の技術及び発明が解決しようとする課題】
例えば特開昭６１−２６１３８８号公報には、過冷却状態で潜熱を蓄える蓄熱媒体に熱伝導手段を用いて熱を伝導し、蓄熱媒体を結晶相からゲル相に相転移させて蓄熱し、熱利用時には蓄熱媒体に刺激を加えることによりゲル相から結晶相に相転移させて熱回収する蓄熱装置が開示されている。
【０００３】
しかし、上記蓄熱装置では、蓄熱媒体に刺激を加えることにより蓄熱媒体の全体がゲル相から結晶相に相転移し、蓄熱媒体に蓄熱された全熱量が一度に取り出されるので、蓄熱し熱量を部分的に取り出してある期間に亘って徐々に利用することができない。
【０００４】
本発明は、上述する問題点に鑑みてなされたもので、蓄熱した熱をある期間に亘って徐々に利用することを目的とする。
【０００５】
【課題を解決するための手段】
上記目的を達成するために、本発明では、蓄熱装置に係わる第１の手段として、熱を蓄える複数の蓄熱ブロック（Ａ１〜Ａｎ）と、該蓄熱ブロック（Ａ１〜Ａｎ）が浸漬される流動形熱媒を貯留する流動槽（１）と、熱需要部（Ｘ）との間で流動形熱媒を循環させる放熱用循環手段（２）と、熱需要部（Ｘ）の熱需要量に応じて蓄熱ブロック（Ａ１〜Ａｎ）から蓄熱を個別に取り出す放熱制御手段（３）とを具備する構成を採用する。
【０００６】
蓄熱装置に係わる第２の手段として、上記第１の手段において、流動形熱媒を熱供給源（Ｙ）との間で循環させる吸熱用循環手段（４）をさらに備えるという構成を採用する。
【０００７】
蓄熱装置に係わる第３の手段として、上記第１の手段において、放熱制御手段（３）は、蓄熱ブロック（Ａ１〜Ａｎ）に機械的あるいは電気的な刺激を加えることにより流動形熱媒への供給熱量を制御するという構成を採用する。
【０００８】
蓄熱装置に係わる第４の手段として、上記第１の手段において、蓄熱ブロック（Ａ１〜Ａｎ）は、蓄熱材として潜熱型蓄熱材を用いるという構成を採用する。
【０００９】
蓄熱装置に係わる第５の手段として、上記第１の手段において、流動形熱媒は流動型蓄熱材であるという構成を採用する。
【００１０】
一方、本発明では、蓄熱方法に係わる第１の手段として、熱材（Ｈ）を複数の蓄熱ブロック（Ａ１〜Ａｎ）として流動形熱媒（ＬＨ）中に配置し、各蓄熱ブロック（Ａ１〜Ａｎ）に個別に刺激を与えることにより蓄熱材（Ｈ）の熱を小出しに回収するという構成を採用する。
【００１１】
また、蓄熱方法に係わる第２の手段として、上記第１の手段において、流動形熱媒（ＬＨ）を介して各蓄熱ブロック（Ａ１〜Ａｎ）の蓄熱材（Ｈ）に熱を蓄積させるという構成を採用する。
【００１２】
蓄熱方法に係わる第３の手段として、上記第１または第２の手段において、蓄熱ブロック（Ａ１〜Ａｎ）の蓄熱材（Ｈ）に機械的あるいは電気的な刺激を加えることにより熱を回収するという構成を採用する。
【００１３】
蓄熱方法に係わる第４の手段として、上記第１〜第３いずれかの手段において、蓄熱材（Ｈ）として潜熱型蓄熱材を用いるという構成を採用する。
【００１４】
蓄熱方法に係わる第５の手段として、上記第１〜第３いずれかの手段において、流動形熱媒（ＬＨ）は流動型蓄熱材であるという構成を採用する。
【００１５】
【発明の実施の形態】
以下、図面を参照して、本発明に係わる蓄熱装置及び方法の一実施形態について説明する。
【００１６】
図１は、本実施形態における蓄熱装置のシステム構成図である。この図において、符号１は流動槽、Ａ１〜Ａｎは蓄熱ブロック、Ｈは潜熱形蓄熱材、ｂ１〜ｂｎは圧電素子、ＬＨは流動形蓄熱材（流動形熱媒）、２は放熱用ポンプ（放熱用循環手段）、３は制御装置（放熱制御手段）、４は吸熱用ポンプ（吸熱用循環手段）、５は温度センサである。これら各構成要素から構成された本蓄熱装置は、熱供給源Ｙから供給された熱を蓄熱すると共に、当該蓄熱した熱を熱需要部Ｘに提供する。
【００１７】
流動槽１は、一定量の流動形蓄熱材ＬＨを貯留するものであり、当該流動形蓄熱材ＬＨには多数（ｎ個）の蓄熱ブロックＡ１〜Ａｎが浸漬されている。蓄熱ブロックＡ１〜Ａｎは、流動形蓄熱材ＬＨから供給された熱を潜熱として蓄える潜熱形蓄熱材Ｈ、及び当該潜熱形蓄熱材Ｈから潜熱を取り出すために機械的な刺激を潜熱形蓄熱材Ｈに与える圧電素子ｂ１〜ｂｎを各々備えている。このような各蓄熱ブロックＡ１〜Ａｎは、熱導電性に優れた容器内に潜熱形蓄熱材Ｈと圧電素子ｂ１〜ｂｎとを封入したものであり、流動槽１内に分散配置されると共に流動形蓄熱材ＬＨとの熱交換が良好に行われるように流動形蓄熱材ＬＨ内に浸漬されている。
【００１８】
上記潜熱形蓄熱材Ｈは、例えば過冷却状態で結晶相からゲル相に相転移して潜熱形蓄熱材Ｈの熱を潜熱として蓄えると共に、外部から加えられる機械的あるいは電気的な刺激によってゲル相から結晶相に相転移して上記潜熱を潜熱形蓄熱材Ｈに放出する熱酢酸ナトリウム（ＮａＣＨ３ＣＯＯ）である。
【００１９】
放熱用ポンプ２は、流動槽１内の流動形蓄熱材ＬＨを熱需要部Ｘとの間で循環させるためのものであり、流動槽１と熱需要部Ｘとの間に設けられている。温度センサ５は、熱需要部Ｘに流入する流動形蓄熱材ＬＨの温度（供給温度）を測定して制御装置３に出力する。
【００２０】
吸熱用ポンプ４は、流動槽１内の流動形蓄熱材ＬＨを熱供給源Ｙとの間で循環させるためのものであり、流動槽１と熱供給源Ｙとの間に設けられている。制御装置３は、熱需要部Ｘの熱需要量に応じて蓄熱ブロックＡ１〜Ａｎから流動形蓄熱材ＬＨへの供給熱量を制御するものであり、より具体的には上記供給温度が一定となるように圧電素子ｂ１〜ｂｎの動作を制御する。
【００２１】
次に、このように構成された本蓄熱装置の動作について詳しく説明する。
【００２２】
まず最初に本蓄熱装置の蓄熱課程について説明する。この蓄熱課程では吸熱用ポンプ４が作動して所定流量の流動形蓄熱材ＬＨが流動槽１と熱供給源Ｙとの間を循環する。流動形蓄熱材ＬＨは、この循環中に熱供給源Ｙから熱供給を受けると共に、当該熱供給源Ｙから供給された熱を各蓄熱ブロックＡ１〜Ａｎ内の潜熱形蓄熱材Ｈに提供する。すなわち、流動形蓄熱材ＬＨは、熱供給源Ｙの熱を熱媒として各蓄熱ブロックＡ１〜Ａｎの潜熱形蓄熱材Ｈに伝達する。各潜熱形蓄熱材Ｈは流動形蓄熱材ＬＨから提供される熱を潜熱として徐々に蓄えるので、吸熱用ポンプ４が作動を停止するまでの間に、各蓄熱ブロックＡ１〜Ａｎには所定容量の熱が蓄積される。
【００２３】
次に本蓄熱装置の放熱課程について説明する。上記蓄熱課程によって各蓄熱ブロックＡ１〜Ａｎに蓄積された熱は、以下のように熱需要部Ｘに提供される。すなわち、放熱課程では放熱用ポンプ２が作動することにより所定流量の流動形蓄熱材ＬＨが流動槽１と熱需要部Ｘとの間を循環する。この場合、温度センサ５によって測定される流動形蓄熱材ＬＨの供給温度は、熱需要部Ｘにおける熱需要量に応じて当然に変化することになる。制御装置３は、放熱課程の間、温度センサ５から入力される供給温度を常時モニタしており、供給温度が所定の目標値を維持するように各蓄熱ブロックＡ１〜Ａｎの放熱を制御する。
【００２４】
例えば、制御装置３が蓄熱ブロックＡ１の圧電素子ｂ１を駆動して蓄熱ブロックＡ１の潜熱形蓄熱材Ｈのみから潜熱を取り出したときに供給温度が目標値に達した場合、熱需要部Ｘの熱消費によって供給温度は徐々に低下する。これに対して、制御装置３は、蓄熱ブロックＡ２の圧電素子ｂ２を駆動して蓄熱ブロックＡ２の潜熱形蓄熱材Ｈから潜熱を取り出すことにより供給温度を目標値に維持させる。すなわち、制御装置３は、供給温度を目標値を維持するように、蓄熱ブロックＡ１の圧電素子ｂ１→蓄熱ブロックＡ２の圧電素子ｂ２→……→蓄熱ブロックＡｎの圧電素子ｂｎの順で順次駆動することにより、熱需要部Ｘが熱を必要とする期間に亘って供給温度を目標値に維持し続ける。
【００２５】
本実施形態によれば、複数設けた蓄熱ブロックＡ１〜Ａｎから個別に熱を取り出すので、熱需要部Ｘが熱を必要とする期間に亘って所定熱量の熱エネルギーを熱需要部Ｘに提供することができる。また、流動形蓄熱材ＬＨを蓄熱ブロックＡ１〜Ａｎへの蓄熱と蓄熱ブロックＡ１〜Ａｎからの熱回収とに時分割的に共用するので、装置構成を単純化できる。また、電気的に駆動される圧電素子ｂ１〜ｂｎを用いて潜熱形蓄熱材Ｈに機械的な刺激を加えるので、潜熱形蓄熱材Ｈの潜熱を容易に回収することができる。さらには、各蓄熱ブロックＡ１〜Ａｎに潜熱形蓄熱材Ｈを用いているので、放熱時に供給温度を目標値に維持することが容易である。仮に顕熱型の蓄熱材を用いた場合には、流動槽１における流動形蓄熱材ＬＨの温度変動が大きくなるので、供給温度を目標値に維持することにおいて不利である。
【００２６】
なお、本発明は上記実施形態に限定されるものではなく、例えば以下のような変形が考えられる。
（１）蓄熱ブロックＡ１〜Ａｎの個数や流動槽１の規模は熱需要部Ｘや熱供給源Ｙの規模に応じて適宜設定される設計事項である。
（２）蓄熱ブロックＡ１〜Ａｎの蓄熱材としては潜熱型蓄熱材Ｈに限定されることなく、特に供給温度の温度変動を許容できる場合においては顕熱型蓄熱材を用いても良い。
（３）流動形熱媒としては流動形蓄熱材ＬＨに限定されることなく、他の熱媒であっても良い。
（４）潜熱を潜熱形蓄熱材Ｈから回収するための手段としては、圧電素子ｂ１〜ｂｎに限定されることなく、他の手段でも良い。
【００２７】
【発明の効果】
以上説明したように、本発明によれば、熱を蓄える複数の蓄熱ブロックＡ１〜Ａｎと、該蓄熱ブロックが浸漬される流動形熱媒を貯留する流動槽と、熱需要部との間で流動形熱媒を循環させる放熱用循環手段と、熱需要部の熱需要量に応じて蓄熱ブロックから蓄熱を個別に取り出す放熱制御手段とを具備するので、蓄熱した熱をある期間に亘って徐々に利用することができる。
【図面の簡単な説明】
【図１】本発明の一実施形態に係わるシステム構成図である。
【符号の説明】
Ａ１〜Ａｎ……蓄熱ブロック
Ｈ……潜熱形蓄熱材
ｂ１〜ｂｎ……圧電素子
ＬＨ……流動形蓄熱材（流動形熱媒）
１……流動槽
２……放熱用ポンプ（放熱用循環手段）
３……制御装置（放熱制御手段）
４……吸熱用ポンプ（吸熱用循環手段）
５……温度センサ
Ｘ……熱需要部
Ｙ……熱供給源
【図１】
2004012093.tif 000003